(57)【要約】【課題】音楽再生の邪魔になったり、音楽再生を中断させたりすることなく、必要な情報をユーザに伝達できるようにした携帯機器の情報伝達システムを提供する。【解決手段】ユーザは、振動子付きイヤホン３を耳に装着する。携帯情報端末１と振動子付きイヤホン３との間に振動駆動装置２を設ける。携帯情報端末１からは音楽の音声信号と振動信号とを合成した音声振動合成信号が出力される。振動駆動装置２のクロスオーバーネットワーク回路２１で音声信号と振動信号とが周波数分離され、音声信号は振動子付きイヤホン３のスピーカ３２に供給され、振動信号は振動制御回路２２から振動子付きイヤホン３の振動子３３に供給される。例えばペース配分を知らせる情報が振動子３３の振動でユーザに伝えられる。振動子３３の振動は、音としては出力されないので、音楽再生の邪魔にならない。【選択図】図１
2011171954.tif 000002
【特許請求の範囲】
【請求項１】
振動子を有する装着具と、
伝達情報を振動信号として出力する携帯機器と、
前記携帯機器と前記装着具との間に設けられ、前記携帯機器から送られてきた振動信号により、前記装着具の振動子を駆動する振動駆動手段と
を備えることを特徴とする携帯機器の情報伝達システム。
【請求項２】
前記装着具は、振動子を有するイヤホンであり、
前記携帯機器は、音声信号と振動信号とを周波数多重化した信号を出力し、
前記振動駆動手段は、前記多重化した信号から音声信号と振動信号とを周波数分離し、分離された音声信号を前記振動子を有するイヤホンのスピーカに供給し、分離された振動信号を前記振動子を有するイヤホンの振動子に供給する
ことを特徴とする請求項１に記載の携帯機器の情報伝達システム。
【請求項３】
前記振動信号は、音声帯域外の周波数の信号であることを特徴とする請求項２に記載の携帯機器の情報伝達システム。
【請求項４】
前記装着具は、振動子付き脈拍センサであり、
前記携帯機器は、前記脈拍センサの検出値に基づいて生成された情報を振動信号として出力し、
前記振動駆動手段は、前記振動信号を抽出し、抽出した振動信号を前記振動子付き脈拍センサの振動子に供給することを特徴とする請求項１に記載の携帯機器の情報伝達システム。
【請求項５】
前記振動信号は、運動のペースを知らせる伝達情報であることを特徴とする請求項１から４の何れかに記載の携帯機器の情報伝達システム。
【請求項６】
前記振動信号は、着信を知らせる伝達情報であることを特徴とする請求項１から４の何れかに記載の携帯機器の情報伝達システム。
【請求項７】
伝達情報の種類に応じて、前記振動信号の振動パターンを変化させるようにしたことを特徴とする請求項１から６の何れかに記載の携帯機器の情報伝達システム。
【発明の詳細な説明】
【技術分野】
【０００１】
本発明は、ジョギングやサイクリング、ウォーキングといった運動のペースや着信の情報をユーザに知らせるのに用いて好適な携帯機器の情報伝達システムに関する。
【背景技術】
【０００２】
携帯型音楽再生プレーヤを携帯し、音楽を聞きながらジョギングやサイクリング、ウォーキングといった運動を楽しむ人が多くなってきている。また、特許文献１に示されているように、音楽を聞きながらジョギングやサイクリング、ウォーキングといった運動をする際に、脈拍数等その人のコンディションに合わせた音楽が選択され、音楽のテンポに合わせたペースでジョギングやサイクリング、ウォーキングといった運動を続けられるようにしたものが提案されている。
【０００３】
また、ジョギングのペースを電子音により知らせるようにした装置も提案されている（例えば、特許文献１参照。）。このような装置では、電子音によりペース配分を指示したり、走るテンポと目標ペースとがずれたときに、電子音が鳴り、ペースを合わせるように促したりするような機能を有している。
【０００４】
また、近年、携帯電話端末が高機能化されており、音楽再生機能を有する携帯電話端末が普及している。このような音楽再生機能を有する携帯電話端末で音楽を再生しながら、ジョギングやサイクリング、ウォーキングといった運動を行う人も多い。
【先行技術文献】
【特許文献】
【０００５】
【特許文献１】特開２００８−２４２０６３号公報
【発明の概要】
【発明が解決しようとする課題】
【０００６】
しかしながら、従来では、このような電子音を音声信号に重畳しているため、音楽の再生音に電子音が混じって聞こえることになり、音楽再生の邪魔になる。
【０００７】
また、音楽再生機能を有する携帯電話端末では、音楽再生中に着信があると、音楽再生を中断させて、着信を知らせるようにしている。このため、音楽再生が途切れてしまうことになる。
【０００８】
そこで、本発明は、上述の課題を鑑みてなされたものであり、音楽再生の邪魔になったり、音楽再生を中断させたりすることなく、必要な情報をユーザに伝達できるようにした携帯機器の情報伝達システムを提供することを目的とする。
【課題を解決するための手段】
【０００９】
本発明は、上述の課題を鑑みて、以下の事項を提案している。なお、理解を容易にするために、本発明の実施形態に対応する符号を付して説明するが、これに限定されるものではない。
【００１０】
（１）本発明による情報伝達システムは、振動子を有する装着具（例えば、図１の振動子付きイヤホン３に相当）と、伝達情報を振動信号として出力する携帯機器（例えば、図１の携帯情報端末１に相当）と、携帯機器と装着具との間に設けられ、携帯機器から送られてきた振動信号により、装着具の振動子を駆動する振動駆動手段（例えば、図１の振動駆動装置２相当）とを備えることを特徴とする携帯機器の情報伝達システムを提案している。
【００１１】
本発明によれば、携帯機器が伝達情報を振動信号として出力し、振動子を有する装着具を振動させることにより、ユーザに振動で情報を伝達できる。
【００１２】
（２）本発明は、（１）の情報伝達システムにおいて、装着具は、振動子を有するイヤホンであり、携帯機器は、音声信号と振動信号とを周波数多重化した信号を出力し、振動駆動手段は、多重化した信号から音声信号と振動信号とを周波数分離し、分離された音声信号を振動子を有するイヤホンのスピーカに供給し、分離された振動信号を振動子を有するイヤホンの振動子に供給することを特徴とする携帯機器の情報伝達システムを提案している。
【００１３】
本発明によれば、装着具として振動子を有するイヤホンを用いた場合に、ユーザがイヤホンを耳に装着して携帯機器で音楽再生を行いながら、振動により情報を取得することができ、音楽再生の邪魔になったり、音楽再生を中断させることなく、ユーザに情報を伝達できる。
【００１４】
（３）本発明は、（２）の上記情報伝達システムにおいて、振動信号は、音声帯域外の周波数の信号であることを特徴とする携帯機器の情報伝達システムを提案している。
【００１５】
本発明によれば、振動信号が音声帯域内にないため、振動信号と音声信号とを周波数分割できる。そのため、振動音がユーザに聞こえることがなく、例えば、ユーザがイヤホンを耳に装着して携帯機器で音楽再生を行っているときに、音楽再生の邪魔になることがない。
【００１６】
（４）本発明による情報伝達システムは、（１）の情報伝達システムにおいて、装着具は、振動子付き脈拍センサであり、携帯機器は、脈拍センサの検出値に基づいて生成された情報を振動信号として出力し、振動駆動手段は、振動信号を抽出し、抽出した振動信号を振動子付き脈拍センサの振動子に供給することを特徴とする携帯機器の情報伝達システムを提案している。
【００１７】
本発明によれば、装着具として振動子を脈拍センサとして用いた場合に、ユーザが脈拍センサを装着しながら、各種の情報を取得することができる。
【００１８】
（５）本発明は、（１）から（４）の情報伝達システムにおいて、振動信号は、運動のペースを知らせる伝達情報であることを特徴とする携帯機器の情報伝達システムを提案している。
【００１９】
本発明によれば、ユーザが携帯機器により音楽を再生しながらジョギングやサイクリング、ウォーキングといった運動を行う際に、音楽再生の邪魔にならずに、ジョギングやサイクリング、ウォーキングといった運動のペースを知らせる情報を取得できる。
【００２０】
（６）本発明は、（１）から（４）の情報伝達システムにおいて、振動信号は、着信を知らせる伝達情報であることを特徴とする携帯機器の情報伝達システムを提案している。
【００２１】
本発明によれば、ユーザが携帯機器により音楽の再生を楽しんでいる際に、音楽再生の邪魔にならずに、着信の情報を取得できる。
【００２２】
（７）本発明は、（１）から（５）の情報伝達システムにおいて、伝達情報の種類に応じて、振動信号の振動パターンを変化させるようにしたことを特徴とする携帯機器の情報伝達システムを提案している。
【００２３】
本発明によれば、振動のパターンから情報の種類を識別することができる。
【発明の効果】
【００２４】
本発明によれば、振動子を有する装着具の振動子を駆動することにより、音として出力されることなく、ユーザに情報を伝達できる。このため、ユーザが携帯端末で音楽再生を行っているような場合に、音楽を聞き漏らしてしまったり、音楽再生の邪魔になったりすることなく、ユーザに情報を伝達できる。
【図面の簡単な説明】
【００２５】
【図１】本発明の第１の実施形態を示すブロック図である。
【図２】本発明の第１の実施形態における携帯情報端末の構成を示すブロック図である。
【図３】本発明の第１の実施形態における振動パターンの設定の説明図である。
【図４】本発明の第１の実施形態における本発明の第２の実施形態を示すブロック図である。
【図５】本発明の第２の実施形態における携帯情報端末の構成を示すブロック図である。
【図６】本発明の第２の実施形態における振動パターンの設定の説明図である。
【発明を実施するための形態】
【００２６】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２７】
＜第１の実施形態＞
図１は、本発明の第１の実施形態を示すブロック図である。
【００２８】
＜システムの構成＞
図１に示すように、本発明の第１の実施形態に係るシステムは、携帯情報端末１と、振動駆動装置２と、振動子付きイヤホン３とから構成される。
【００２９】
携帯情報端末１としては、携帯型音楽再生プレーヤや音楽再生機能を有する携帯電話端末が用いられる。携帯情報端末１は、音声信号と振動信号とを合成した音声振動合成信号を音声出力端子１１から出力する機能を有している。
【００３０】
振動駆動装置２は、携帯情報端末１と振動子付きイヤホン３との間に設けられ、携帯情報端末１から送られてきた音声振動合成信号から音声信号と振動信号とを分離し、音声信号を振動子付きイヤホン３のスピーカ３２に送り、振動信号を振動子３３に送る。
【００３１】
振動駆動装置２は、音声信号と振動信号とを周波数分離するクロスオーバーネットワーク回路２１と、振動子３３を駆動する振動制御回路２２と、振動制御回路２２に電源を供給するバッテリ２３とを有している。
【００３２】
振動子付きイヤホン３は、ユーザの耳に装着する装着具であり、そのキャビティ３１内にスピーカ３２を有すると共に、振動子３３が配設される。振動子３３は、電気信号に応じた振動を生じるもので、振動子３３としては、例えばピエゾ振動子が用いられる。
【００３３】
＜携帯情報端末の構成＞
図２は、携帯情報端末１の構成を示すブロック図である。図２において、制御部５１は、ＣＰＵ（Ｃｅｎｔｒａｌ  Ｐｒｏｃｅｓｓｉｎｇ  Ｕｎｉｔ）やメモリを含み、装置全体の制御を行っている。制御部５１に対して、入力部５２、表示部５３、ネットワークインターフェース部５４が設けられる。入力部５２は数字キーや機能キー等であり、各種の情報をユーザが入力するのに用いられる。
【００３４】
表示部５３は液晶ディスプレイ等であり、各種の処理情報をユーザに表示するのに用いられる。ネットワークインターフェース部５４は、外部サーバ装置との通信を行うインターフェースである。より具体的には、携帯電話網やインターネット網との通信を行うためのインターフェースである。
【００３５】
制御部５１は、画像や音楽等のマルチメディアコンテンツのデータを蓄積するコンテンツ蓄積部５５と、このコンテンツ蓄積部５５に蓄積されているデータを再生するための再生アプリケーション部５６を備えている。
【００３６】
また、制御部５１は、振動利用アプリケーション部５７を備えている。振動利用アプリケーション部５７は、具体的には、ジョギングやサイクリング、ウォーキングといった運動中にペース配分を振動で知らせたり、携帯電話での着信等を振動で知らせたりするものである。振動利用アプリケーション部５７は、アプリケーション制御部５８と、振動制御部５９とを含んでいる。
【００３７】
再生アプリケーション部５６により音楽コンテンツのデータが再生されると、この音楽再生による音声信号は、バス５０を通じて、Ｄ／Ａ変換器６０に送られる。Ｄ／Ａ変換器６０により、ディジタルの音声信号がアナログの音声信号に変換される。この音声信号がミキサ部６１に送られる。
【００３８】
また、振動利用アプリケーション部５７の振動制御部５９から振動信号発生器６２に振動制御信号が送られると、振動信号発生器６２から振動信号が出力される。この振動信号がミキサ部６１に送られる。振動信号発生器６２から出力される振動信号の周波数は、振動信号と音声信号とを周波数分離できるように、音声の可聴周波数から外れた周波数領域に設定される。人間の可聴周波数は、およそ２０Ｈｚから２０ｋＨｚであることから、振動信号発生器６２から振動信号は、２０Ｈｚ以下の周波数又は２０ｋＨｚ以上の周波数に選定される。
【００３９】
ミキサ部６１は、Ｄ／Ａ変換器６０からの音声信号と、振動信号発生器６２からの振動信号を合成する。そして、この音声振動合成信号が音声出力端子１１から出力される。
【００４０】
本発明の第１の実施形態は、例えば、ジョギングやサイクリング、ウォーキングといった運動中にユーザが携帯情報端末１を携帯し、ユーザが音楽を聞きながらジョギングやサイクリング、ウォーキングといった運動を楽しみ、また、ペース配分の情報を振動で取得するような場合に利用できる。図１において、本発明の第１の実施形態を使用する場合には、ユーザは、携帯情報端末１の音声出力端子１１と振動駆動装置２の入力端子２５とをコード線１２を介して接続する。そして、ユーザは、振動子付きイヤホン３を耳に装着する。
【００４１】
上述のように、携帯情報端末１の再生アプリケーション部５６と振動利用アプリケーション部５７とを起動すると、携帯情報端末１の音声出力端子１１からは、音声信号と振動信号とを合成した音声振動合成信号が出力される。この音声振動合成信号は、携帯情報端末１の音声出力端子１１から、コード線１２を介して、振動駆動装置２の入力端子２５に入力される。
【００４２】
振動駆動装置２のクロスオーバーネットワーク回路２１で、この音声振動合成信号から、音声信号と振動信号とが周波数分離される。音声信号は、クロスオーバーネットワーク回路２１から、振動子付きイヤホン３のスピーカ３２に供給される。振動信号は、振動制御回路２２に送られ、振動制御回路２２により、振動子付きイヤホン３の振動子３３が駆動される。
【００４３】
これにより、振動子付きイヤホン３のスピーカ３２からは、音波として音楽が再生されると共に、例えばペース配分を知らせる情報が振動子３３の振動でユーザに伝えられる。振動子３３の振動は、音としては出力されないので、ユーザは、音楽を聞き漏らしてしまったり、音楽再生の邪魔になったりすることなく、ペース配分の情報等を知ることができる。また、携帯情報端末１が携帯電話端末であるような場合には、着信の情報を、振動子３３の振動でユーザに伝えることもできる。
【００４４】
なお、図３に示すように、振動子３３の振動パターンを振動パターンＰ１〜Ｐ３のように複数設定可能とし、振動パターンＰ１〜Ｐ３により、各種の情報や警告を識別できるようにしても良い。
【００４５】
＜第２の実施形態＞
図４は、本発明の第２の実施形態を示すブロック図である。
【００４６】
＜システムの構成＞
図４に示すように、本発明の第２の実施形態のシステムは、携帯情報端末１０１と、振動駆動装置１０２と、振動子付き脈拍センサ１０３とから構成される。
【００４７】
携帯情報端末１０１としては、脈拍数を利用したアプリケーション、例えば脈拍数から最適なジョギングやサイクリング、ウォーキングといった運動のペースを求めるアプリケーションを含んでいる。
【００４８】
振動駆動装置１０２は、携帯情報端末１０１と振動子付き脈拍センサ１０３との間に設けられ、振動子付き脈拍センサ１０３の脈拍センサ素子１３２からのセンサ信号を携帯情報端末１０１に送ると共に、携帯情報端末１０１から送られてきた振動信号を取得し、振動子１３３−１、１３３−２、…、１３３−ｎを駆動する。
【００４９】
振動駆動装置１０２は、脈拍センサ素子１３２からのセンサ信号を検出する脈拍検出回路１２１と、振動子１３３−１、１３３−２、…、１３３−ｎを駆動する振動制御回路１２２と、振動制御回路１２２に電源を供給するバッテリ１２３とを有している。
【００５０】
振動子付き脈拍センサ１０３は、ユーザの耳に装着する装着具であり、クリップで耳に装着して脈拍を検出するように構成されている。振動子付き脈拍センサ１０３には、脈拍センサ素子１３２が取り付けられていると共に、複数の振動子１３３−１、１３３−２、…、１３３−ｎが配設される。
【００５１】
振動子１３３−１、１３３−２、…、１３３−ｎは、電気信号に応じた振動を生じるもので、振動子１３３−１、１３３−２、…、１３３−ｎとしては、例えばピエゾ振動子が用いられる。
【００５２】
＜携帯情報端末の構成＞
図５は、携帯情報端末１０１の構成を示すブロック図である。
図５において、制御部１５１は、ＣＰＵやメモリを含み、装置全体の制御を行っている。制御部１５１に対して、入力部１５２、表示部１５３、ネットワークインターフェース部１５４が設けられる。
【００５３】
入力部１５２は数字キーや機能キー等であり、各種の情報をユーザが入力するのに用いられる。表示部１５３は液晶ディスプレイ等であり、各種の処理情報をユーザに表示するのに用いられる。ネットワークインターフェース部１５４は、外部サーバ装置との通信を行うインターフェースである。より具体的には、携帯電話網やインターネット網との通信を行うためのインターフェースである。
【００５４】
制御部１５１は、振動利用アプリケーション部１５７を有している。振動利用アプリケーション部１５７は、アプリケーション制御部１５８と、振動制御部１５９とを含んでいる。振動利用アプリケーション部１５７は、具体的には、ジョギングやサイクリング、ウォーキングといった運動中に脈拍数を入力し、脈拍数に応じた最適なペース配分を振動で知らせるようなものである。
【００５５】
振動子付き脈拍センサ１０３の脈拍センサ素子１３２からの脈拍数のセンサ信号が入力されると、このセンサ信号がＡ／Ｄ変換器１６０に送られる。Ａ／Ｄ変換器１６０により、このセンサ信号がディジタル信号に変換される。そして、このセンサ信号は、バス１５０を介して、制御部１５１に入力される。また、振動利用アプリケーション部１５７の振動制御部１５９からの振動信号発生器１６２に振動制御信号が送られると、振動信号発生器１６２から振動信号が出力される。
【００５６】
本発明の第２の実施形態は、例えば、ジョギングやサイクリング、ウォーキングといった運動中にユーザが携帯情報端末１０１を携帯し、ユーザの脈拍数からペース配分を決定し、ペース配分の情報を振動で取得するような場合に利用できる。本発明の第２の実施形態を使用する場合には、図４において、ユーザは、携帯情報端末１０１の入力端子１１１及び出力端子１１２と振動駆動装置１０２の出力端子１２５及び入力端子１２６とをコード線１１４及び１１５を介して接続する。そして、ユーザは、振動子付き脈拍センサ１０３を耳に装着する。
【００５７】
振動子付き脈拍センサ１０３の脈拍センサ素子１３２からの脈拍数のセンサ信号は、振動駆動装置１０２に入力され、振動駆動装置１０２の脈拍検出回路１２１から、コード線１１４を介して、携帯情報端末１０１の入力端子１０１に入力される。また、携帯情報端末１０１の出力端子１１２からは、ジョギングやサイクリング、ウォーキングといった運動のペース情報を示す振動信号が出力される。この振動信号は、携帯情報端末１０１の出力端子１１２から、コード線１１５を介して、振動駆動装置１０２の入力端子１２６に入力される。振動駆動装置１０２の振動制御回路１２２により、振動子付き脈拍センサ１０３の振動子１３３−１〜１３３−ｎが駆動される。これにより、例えばペース配分を知らせる情報が振動子付き脈拍センサ１０３の振動子１３３−１〜１３３−ｎの振動でユーザに伝えられる。
【００５８】
なお、図６に示すように、この実施形態では、振動子付き脈拍センサ１０３には、複数の振動子１３３−１〜１３３−ｎが配設されている。これら振動子１３３−１〜１３３−ｎの振動の順番を示す振動パターンを、振動パターンＰ１１〜Ｐ１６のように複数設定可能とし、振動パターンＰ１１〜Ｐ１６により、各種の情報や警告の種類を識別できるようにしても良い。
【００５９】
以上、述べた実施形態は、全て本発明を例示的に示すものであって限定的に示すものではなく、本発明は他の種々の変形態様および変更態様で実施することができる。従って本発明の範囲は特許請求の範囲およびその均等範囲によってのみ規定されるものである。例えば、上記実施形態においては、振動子が内蔵された装着具や脈拍センサ等を理解を容易にするために、耳に装着する場合を例示して説明したが、これに限らず、腕や足等、振動を認知でき、あるいは、脈拍を測定できる人間の部位であれば、どこに装着しても構わない。
【符号の説明】
【００６０】
１：携帯情報端末
２：振動駆動装置
３：振動子付きイヤホン
１１；音声出力端子
２１：クロスオーバーネットワーク回路
２２：振動制御回路
２３：バッテリ
２５：入力端子
３２：スピーカ
３３：振動子
５０：バス
５１：制御部
５２：入力部
５３：表示部
５４：ネットワークインターフェース部
５５：コンテンツ蓄積部
５６：再生アプリケーション部
５７：振動利用アプリケーション部
５８：アプリケーション制御部
５９：振動制御部
６０：Ｄ／Ａ変換器
６１：ミキサ部
６２：振動信号発生器
１０１：携帯情報端末
１０２：振動駆動装置
１０３：脈拍センサ
１２１：脈拍検出回路
１２２：振動制御回路
１２３：バッテリ
１２５：出力端子
１２６：入力端子
１３２：脈拍センサ素子
１３３−１〜１３３−ｎ：振動子
１５０：バス
１５１：制御部
１５２：入力部
１５３：表示部
１５４：ネットワークインターフェース部
１５７：振動利用アプリケーション部
１５８：アプリケーション制御部
１５９：振動制御部
１６０：Ａ／Ｄ変換器
１６２：振動信号発生器
【図１】
2011171954.tif 000003
【図２】
2011171954.tif 000004
【図３】
2011171954.tif 000005
【図４】
2011171954.tif 000006
【図５】
2011171954.tif 000007
【図６】
2011171954.tif 000008